(57)【要約】【課題】読取対象面に付着した汚れの正確な位置をユーザに把握させることができる画像読取装置及び画像形成システムを提供することを目的とする。【解決手段】解像度を設定する設定部１３１と、尺度を把握可能な読取対象面上を通過する印刷物を、当該読取対象面を介して解像度で読み取って、画像を生成する画像読取部１４０と、解像度に基づいて、読取対象面に対する尺度を画像上での尺度に換算する換算部１３５と、画像と換算された尺度の画像とを合成する画像合成部１５３と、合成された画像を表示部１６０に表示させる表示制御部１３７と、を備える。【選択図】図１
2015179904.tif 000002
【特許請求の範囲】
【請求項１】
解像度を設定する設定部と、
尺度を把握可能な読取対象面上を通過する印刷物を、当該読取対象面を介して前記解像度で読み取って、画像を生成する画像読取部と、
前記解像度に基づいて、前記読取対象面に対する尺度を前記画像上での尺度に換算する換算部と、
前記画像と前記換算された尺度の画像とを合成する画像合成部と、
前記合成された画像を表示部に表示させる表示制御部と、
を備える画像読取装置。
【請求項２】
前記読取対象面の周囲に配された第１部材を更に備え、
前記読取対象面に対する尺度は、前記第１部材に付されている請求項１に記載の画像読取装置。
【請求項３】
前記読取対象面に対する尺度は、目盛り群であり、
前記目盛り群の目盛り間隔を示す間隔情報を取得する取得部を更に備え、
前記換算部は、前記解像度と前記間隔情報とに基づいて、前記読取対象面に対する目盛り群を前記画像上での目盛り群に換算する請求項１又は２に記載の画像読取装置。
【請求項４】
前記換算部は、前記解像度と前記間隔情報とを用いて、前記画像上で前記目盛り間隔を表現するために必要な画素数を算出し、当該画素数を用いて、前記読取対象面に対する目盛り群を前記画像上での目盛り群に換算する請求項３に記載の画像読取装置。
【請求項５】
前記取得部は、前記目盛り群の目盛り数を示す目盛り数情報を更に取得し、
前記換算部は、前記目盛り数情報を更に用いて、前記読取対象面に対する目盛り群を前記画像上での目盛り群に換算する請求項３又は４に記載の画像読取装置。
【請求項６】
前記取得部は、前記画像読取部により読み取られる前記読取対象面上の領域である読取領域の始点を指す第１目盛りを識別する第１識別情報、及び当該読取領域の終点を指す第２目盛りを識別する第２識別情報を更に取得し、
前記換算部は、前記第１識別情報及び前記第２識別情報を更に用いて、前記読取対象面に対する目盛り群を前記画像上での目盛り群に換算し、
前記画像合成部は、前記第１目盛り及び前記第２目盛りが前記画像の両端部に対応するように、前記画像と前記換算された尺度の画像とを合成する請求項５に記載の画像読取装置。
【請求項７】
前記表示制御部は、前記合成された画像を変倍して前記表示部に表示させる請求項１〜６のいずれか１つに記載の画像読取装置。
【請求項８】
請求項１〜７のいずれか１つに記載の画像読取装置と、
前記印刷物を生成する画像形成装置と、
を更に備える画像形成システム。
【請求項９】
前記画像形成装置は、
尺度を把握可能な形成対象面上で、画像を作像して記録紙に形成し、前記印刷物を生成する画像形成部を備え、
前記読取対象面に対する尺度と前記形成対象面に対する尺度とは、同一であり、
前記形成対象面上での前記画像の中心軸、前記形成対象面上での前記記録紙の中心軸、前記形成対象面の中心軸、前記読取対象面上を通過する前記印刷物の中心軸、及び前記読取対象面の中心軸が一致する請求項８に記載の画像形成システム。
【請求項１０】
前記形成対象面の周囲に配された第２部材を更に備え、
前記形成対象面に対する尺度は、前記第２部材に付されている請求項９に記載の画像形成システム。
【請求項１１】
画像形成装置と、画像読取装置と、情報処理装置とを、備える画像形成システムであって、
前記画像形成装置は、
尺度を把握可能な形成対象面上で、第１画像を作像して記録紙に形成し、印刷物を生成する画像形成部を備え、
前記画像読取装置は、
前記印刷物を、前記情報処理装置により設定される解像度で読み取って、第２画像を生成する画像読取部を備え、
前記情報処理装置は、
前記解像度を設定する設定部と、
前記解像度に基づいて、前記形成対象面に対する尺度を前記第２画像上での尺度に換算する換算部と、
前記第２画像と前記換算された尺度の画像とを合成する画像合成部と、
前記合成された画像を表示部に表示させる表示制御部と、
を備える画像形成システム。
【請求項１２】
前記形成対象面の周囲に配された部材を更に備え、
前記形成対象面に対する尺度は、前記部材に付されている請求項１１に記載の画像形成システム。
【請求項１３】
前記形成対象面に対する尺度は、目盛り群であり、
前記目盛り群の目盛り間隔を示す間隔情報を取得する取得部を更に備え、
前記換算部は、前記解像度と前記間隔情報とに基づいて、前記形成対象面に対する目盛り群を前記第２画像上での目盛り群に換算する請求項１１又は１２に記載の画像形成システム。
【請求項１４】
前記取得部は、前記目盛り群の目盛り数を示す目盛り数情報を更に取得し、
前記換算部は、前記目盛り数情報を更に用いて、前記形成対象面に対する目盛り群を前記第２画像上での目盛り群に換算する請求項１３に記載の画像形成システム。
【請求項１５】
前記取得部は、前記画像形成部により作像及び形成が行われる前記形成対象面上の領域である形成領域の始点を指す第１目盛りを識別する第１識別情報、及び当該形成領域の終点を指す第２目盛りを識別する第２識別情報を更に取得し、
前記換算部は、前記第１識別情報及び前記第２識別情報を更に用いて、前記形成対象面に対する目盛り群を前記第２画像上での目盛り群に換算し、
前記画像合成部は、前記第２画像から前記印刷物の両端部を検出し、前記第１目盛り及び前記第２目盛りが前記第１画像の両端部に対応するように、前記第２画像と前記換算された尺度の画像とを合成する請求項１４に記載の画像形成システム。
【発明の詳細な説明】
【技術分野】
【０００１】
本発明は、画像読取装置及び画像形成システムに関する。
【背景技術】
【０００２】
従来から、印刷物を読み取って画像を生成する画像読取装置が知られている。このような、画像読取装置では、画像センサが、読取窓などの読取対象面を介して印刷物を電気的に読み取ることで、当該印刷物の画像を生成することが一般的である。このため、読取対象面に汚れが付着していると、生成される画像にすじなどの異常が生じてしまう。
【０００３】
例えば特許文献１には、読取ガラスの汚れ位置をユーザに認識させるため、原稿がない状態で読取ガラスを介した読み取りを行って読取ガラスの汚れ位置を特定し、サンプル画像の対応する位置に汚れに対応する画像を付加して表示する技術が開示されている。
【発明の概要】
【発明が解決しようとする課題】
【０００４】
しかしながら、上述した従来技術では、表示した画像だけでは、当該画像と読取対象面との正確な対応関係が分からないため、読取対象面に付着した汚れのおおまかな位置しか把握できない。
【０００５】
特に、読取対象面に付着した汚れが微細である場合、ユーザは、読取対象面に付着した汚れを視認できないため、上述した従来技術を用いても、読取対象面に付着した汚れの正確な位置を把握できない。
【０００６】
本発明は、上記事情に鑑みてなされたものであり、読取対象面に付着した汚れの正確な位置をユーザに把握させることができる画像読取装置及び画像形成システムを提供することを目的とする。
【課題を解決するための手段】
【０００７】
上述した課題を解決し、目的を達成するために、本発明の一態様にかかる画像読取装置は、解像度を設定する設定部と、尺度を把握可能な読取対象面上を通過する印刷物を、当該読取対象面を介して前記解像度で読み取って、画像を生成する画像読取部と、前記解像度に基づいて、前記読取対象面に対する尺度を前記画像上での尺度に換算する換算部と、前記画像と前記換算された尺度の画像とを合成する画像合成部と、前記合成された画像を表示部に表示させる表示制御部と、を備える。
【発明の効果】
【０００８】
本発明によれば、読取対象面に付着した汚れの正確な位置をユーザに把握させることができるという効果を奏する。
【図面の簡単な説明】
【０００９】
【図１】図１は、第１実施形態の画像形成システムの構成の一例を示すブロック図である。
【図２】図２は、第１実施形態の画像読取装置が備える読取対象面の一例の説明図である。
【図３】図３は、第１実施形態の合成画像の一例を示す図である。
【図４】図４は、第１実施形態の画像読取装置で実行される処理の一例を示すフローチャートである。
【図５】図５は、第２実施形態の画像形成装置の全体構成の一例を示す模式図である。
【図６】図６は、第２実施形態の形成対象面である感光体ドラムの一例の説明図である。
【図７】図７は、第３実施形態の画像形成システムの構成の一例を示すブロック図である。
【図８】図８は、第３実施形態の情報処理装置のハードウェア構成の一例を示す図である。
【図９】図９は、各実施形態の画像形成装置及び画像読取装置のハードウェア構成の一例を示すブロック図である。
【発明を実施するための形態】
【００１０】
以下、添付図面を参照しながら、本発明にかかる画像読取装置及び画像形成システムの実施形態を詳細に説明する。
【００１１】
（第１実施形態）
図１は、第１実施形態の画像形成システム１の構成の一例を示すブロック図である。図１に示すように、画像形成システム１は、画像形成装置１０と、画像読取装置１００とを、備える。
【００１２】
画像形成装置１０は、画像を形成するものであり、例えば、印刷装置、複合機、及び商用印刷装置などが挙げられる。複合機は、複写機能、印刷機能、スキャナ機能、及びファクシミリ機能のうち少なくとも２つの機能を有するものである。
【００１３】
画像読取装置１００は、画像形成装置１０により生成された印刷物を読み取って画像を生成するものであり、例えば、画像形成装置１０により生成された印刷物を検査する画像検査装置などが挙げられる。
【００１４】
画像読取装置１００は、操作部１１０と、記憶部１２０と、制御部１３０と、画像読取部１４０と、画像処理部１５０と、表示部１６０とを、備える。
【００１５】
操作部１１０は、各種操作の入力を行うものであり、タッチパネルやキースイッチなどの入力装置により実現できる。
【００１６】
記憶部１２０は、画像読取装置１００で実行される各種プログラム、及び画像読取装置１００で行われる各種処理に使用されるデータなどを記憶する。記憶部１２０は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、及び電気的に記憶可能な記憶装置の少なくともいずれかにより実現できる。
【００１７】
制御部１３０は、画像読取装置１００の各部を制御するものであり、ＣＰＵ（Central  Processing  Unit）などの制御装置により実現できる。制御部１３０は、設定部１３１と、取得部１３３と、換算部１３５と、表示制御部１３７とを、含む。
【００１８】
設定部１３１は、解像度を設定する。具体的には、設定部１３１は、操作部１１０からの操作入力に基づいて、画像読取部１４０の解像度（読取解像度）を設定する。
【００１９】
なお、取得部１３３、換算部１３５、及び表示制御部１３７の詳細については、後述する。
【００２０】
画像読取部１４０は、画像形成装置１０により生成された印刷物を電気的に読み取って画像を生成するものであり、ＣＣＤ（Charge  Coupled  Device）センサやＣＭＯＳ（Complementary  Metal-Oxide  Semiconductor）センサなどの画像センサにより実現できる。
【００２１】
具体的には、画像読取部１４０は、尺度を把握可能な読取対象面上を通過する印刷物を、当該読取対象面を介して設定部１３１により設定された解像度で読み取って、画像を生成する。
【００２２】
ここで、図２を参照しながら、読取対象面について説明する。図２は、第１実施形態の画像読取装置１００が備える読取対象面１７０の一例の説明図である。
【００２３】
図２に示す例では、画像形成装置１０により生成された印刷物Ｐが矢印方向に搬送されるので、画像読取部１４０（図２では、図示省略。但し、読取対象面１７０の下部にあることを想定。）は、印刷物Ｐが読取対象面１７０上を通過する際に、読取対象面１７０を介して印刷物Ｐを電気的に読み取って印刷物Ｐの画像を生成する。
【００２４】
読取対象面１７０としては、例えば、ガラス製の読取窓などが挙げられる。また、読取対象面１７０の周囲に部材１７１（第１部材の一例）が配されており、部材１７１に読取対象面１７０に対する尺度である目盛り群１７３が付されている。このため本実施形態では、読取対象面１７０の尺度を把握可能である。
【００２５】
部材１７１は、読取対象面１７０の周囲に配された部材であればどのような部材であってもよく、画像読取装置１００の筐体の一部であってもよいし、読取対象面１７０を保持する保持部材であってもよいし、他の部材であってもよい。
【００２６】
本実施形態では、読取対象面１７０に対する尺度として、等間隔に付された目盛り群１７３を想定しているが、これに限定されるものではない。また、目盛りの間隔は等間隔でなくてもよい。なお、目盛り群１７３の各目盛りは、読取対象面１７０の中心軸を基準にふられているものとする。
【００２７】
また、図２に示す例では、画像読取部１４０により読み取られる読取対象面１７０上の領域である読取領域は、読取対象面１７０内の始点（始線）１７５及び終点（終線）１７４で挟まれた領域であるとする。なお読取領域の大きさは、操作部１１０からの操作入力に基づいて、変更可能としてもよい。例えば、操作部１１０からの操作入力に基づく、印刷物Ｐのサイズ（原稿サイズ）の設定に伴い、読取領域の大きさが変動するようにしてもよい。
【００２８】
ここで、取得部１３３及び換算部１３５について説明する。
【００２９】
取得部１３３は、目盛り群１７３の目盛り間隔を示す間隔情報を取得する。また取得部１３３は、目盛り群１７３の目盛り数を示す目盛り数情報を更に取得する。また取得部１３３は、読取対象面１７０上の読取領域の始点１７５を指す第１目盛りを識別する第１識別情報、及び当該読取領域の終点１７４を指す第２目盛りを識別する第２識別情報を更に取得する。
【００３０】
本実施形態では、間隔情報、目盛り数情報、第１識別情報、及び第２識別情報は、記憶部１２０に記憶されており、取得部１３３は、記憶部１２０から、間隔情報、目盛り数情報、第１識別情報、及び第２識別情報を取得するものとするが、これに限定されるものではない。
【００３１】
なお、読取領域の大きさが変更可能な場合には、読取領域の大きさ毎に、第１識別情報及び第２識別情報の組を用意しておき、該当する読取領域の大きさでの第１識別情報及び第２識別情報の組を取得するようにすればよい。
【００３２】
換算部１３５は、設定部１３１により設定された解像度に基づいて、読取対象面１７０に対する尺度を、画像読取部１４０により生成される印刷物Ｐの画像上での尺度に換算する。具体的には、換算部１３５は、設定部１３１により設定された解像度と取得部１３３により取得された間隔情報とに基づいて、読取対象面１７０に対する目盛り群１７３を、画像読取部１４０により生成される印刷物Ｐの画像上での目盛り群に換算する。
【００３３】
例えば、換算部１３５は、設定部１３１により設定された解像度と取得部１３３により取得された間隔情報とを用いて、印刷物Ｐの画像上で、目盛り群１７３の目盛り間隔を表現するために必要な画素数を算出し、当該画素数を用いて、読取対象面１７０に対する目盛り群１７３を、画像読取部１４０により生成される印刷物Ｐの画像上での目盛り群に換算する。
【００３４】
例えば、設定部１３１により設定された解像度が２００ｄｐｉ、取得部１３３により取得された間隔情報が１ｍｍを示すとする。この場合、印刷物Ｐの画像上で、目盛り群１７３の目盛り間隔を表現するために必要な画素数は、約８画素（８≒７．８７＝（２００／２．５４）×１／１０）となる。
【００３５】
より詳細には、換算部１３５は、取得部１３３により取得された目盛り数情報を更に用いて、読取対象面１７０に対する目盛り群１７３を、画像読取部１４０により生成される印刷物Ｐの画像上での目盛り群に換算する。
【００３６】
例えば、目盛り間隔を表現するために必要な画素数が８画素であり、目盛り数情報が３１を示していれば、換算部１３５は、３１個の目盛りを８画素間隔で並べることで、読取対象面１７０に対する目盛り群１７３を、画像読取部１４０により生成される印刷物Ｐの画像上での目盛り群に換算する。
【００３７】
更に詳細には、換算部１３５は、取得部１３３により取得された第１識別情報及び第２識別情報を更に用いて、読取対象面１７０に対する目盛り群１７３を、画像読取部１４０により生成される印刷物Ｐの画像上での目盛り群に換算する。
【００３８】
例えば、目盛り間隔を表現するために必要な画素数が８画素であり、目盛り数情報が３１を示し、第１識別情報が６番目の目盛りを示し、第２識別情報が２６番目の目盛りを示すとする。この場合、換算部１３５は、３１個の目盛りを８画素間隔で並べ、６番目の目盛りを第１目盛り、２６番目の目盛りを第２目盛りとすることで、読取対象面１７０に対する目盛り群１７３を、画像読取部１４０により生成される印刷物Ｐの画像上での目盛り群に換算する。
【００３９】
画像処理部１５０は、画像読取部１４０により生成された印刷物Ｐの画像に画像処理を施すものであり、例えば、ＡＳＩＣ（Application  Specific  Integrated  Circuit）などにより実現できる。画像処理部１５０は、画像生成部１５１と、画像合成部１５３とを、含む。
【００４０】
画像生成部１５１は、換算部１３５により換算された尺度の画像を生成する。例えば、換算部１３５により、３１個の目盛りを８画素間隔で並べ、６番目の目盛りを第１目盛り、２６番目の目盛りを第２目盛りとすることで、読取対象面１７０に対する目盛り群１７３を、画像読取部１４０により生成される印刷物Ｐの画像上での目盛り群に換算された場合、画像生成部１５１は、３１個の目盛りを８画素間隔で並べ、６番目の目盛りを第１目盛り、２６番目の目盛りを第２目盛りとする画像を生成する。
【００４１】
画像合成部１５３は、画像読取部１４０により生成された印刷物Ｐの画像と画像生成部１５１により生成された換算部１３５により換算された尺度の画像とを合成する。具体的には、画像合成部１５３は、画像生成部１５１により生成された画像の第１目盛り及び第２目盛りが、画像読取部１４０により生成された印刷物Ｐの画像の両端部に対応するように、画像読取部１４０により生成された印刷物Ｐの画像と画像生成部１５１により生成された画像とを合成する。
【００４２】
ここで、表示制御部１３７について説明する。表示制御部１３７は、画像合成部１５３により合成された画像を表示部１６０に表示させる。表示部１６０は、各種画像を表示するものであり、液晶ディスプレイ及びタッチパネル式ディスプレイなどの表示装置により実現できる。
【００４３】
図３は、第１実施形態の合成画像１８１の一例を示す図である。合成画像１８１は、印刷物Ｐの画像１８２と、画像生成部１５１により生成された換算部１３５により換算された尺度の画像１８３とが、合成された画像である。なお、画像１８３は、３１個の目盛りを８画素間隔で並べ、６番目の目盛りを第１目盛り、２６番目の目盛りを第２目盛りとした画像であり、第１目盛り及び第２目盛りが、画像１８２の両端部に対応するように、合成されている。
【００４４】
なお、画像１８２には、読取対象面１７０に付着した汚れに起因するすじ１８４が生じているが、画像１８３から、すじ１８４は、２１番目の目盛り上に発生していることがわかる。これにより、ユーザは、目盛り群１７３の２１番目の目盛りに対応する読取対象面１７０の位置に（図２参照）、汚れが付着していると判断できる。
【００４５】
なお、表示制御部１３７は、画像合成部１５３により合成された画像を変倍して表示部１６０に表示させてもよい。具体的には、表示制御部１３７は、操作部１１０からの操作入力に基づいて、画像合成部１５３により合成された画像を変倍して表示部１６０に表示させてもよい。例えば、画像合成部１５３により合成された画像を拡大して表示部１６０に表示させれば、表示部１６０に表示された画像上で、すじなどの異常箇所の識別性を向上させることができる。
【００４６】
図４は、第１実施形態の画像読取装置１００で実行される処理の一例を示すフローチャートである。
【００４７】
まず、設定部１３１は、操作部１１０からの操作入力に基づいて、画像読取部１４０の解像度（読取解像度）を設定する（ステップＳ１０１）。
【００４８】
続いて、画像読取部１４０は、尺度を把握可能な読取対象面上を通過する印刷物Ｐを、当該読取対象面を介して設定部１３１により設定された解像度で読み取って、画像を生成する（ステップＳ１０３）。
【００４９】
続いて、取得部１３３は、間隔情報、目盛り数情報、第１識別情報、及び第２識別情報を更に取得する（ステップＳ１０５）。
【００５０】
続いて、換算部１３５は、設定部１３１により設定された解像度、並びに取得部１３３により取得された間隔情報、目盛り数情報、第１識別情報、及び第２識別情報を用いて、読取対象面１７０に対する目盛り群１７３を、画像読取部１４０により生成される印刷物Ｐの画像上での目盛り群に換算する（ステップＳ１０７）。
【００５１】
続いて、画像生成部１５１は、換算部１３５により換算された目盛り群の画像を生成する（ステップＳ１０９）。
【００５２】
続いて、画像合成部１５３は、画像生成部１５１により生成された画像の第１目盛り及び第２目盛りが、画像読取部１４０により生成された印刷物Ｐの画像の両端部に対応するように、画像読取部１４０により生成された印刷物Ｐの画像と画像生成部１５１により生成された画像とを合成する（ステップＳ１１１）。
【００５３】
続いて、表示制御部１３７は、画像合成部１５３により合成された画像を表示部１６０に表示させる（ステップＳ１１３）。
【００５４】
以上のように第１実施形態では、読取対象面に対する尺度を、印刷物を読み取った画像上での尺度に換算し、当該画像に合成して表示する。従って第１実施形態によれば、ユーザは、表示された画像上で、すじなどの異常位置と尺度位置との対応を確認すれば、読取対象面に対する尺度での当該尺度位置に対応する読取対象面上の位置に汚れが付着していることを把握できる。このように、第１実施形態によれば、読取対象面に付着した汚れの正確な位置をユーザに把握させることができるので、汚れ除去に伴うユーザ負担を軽減できる。
【００５５】
（第２実施形態）
第２実施形態では、画像形成装置１０’の画像形成部により画像の作像及び記録紙への形成の少なくともいずれかが行われる形成対象面にも尺度が付されている例について説明する。以下では、第１実施形態との相違点の説明を主に行い、第１実施形態と同様の機能を有する構成要素については、第１実施形態と同様の名称・符号を付し、その説明を省略する。
【００５６】
図５は、第２実施形態の画像形成装置１０’の全体構成の一例を示す模式図である。図５に示すように、画像形成装置１０’は、給紙トレイ１２と、給紙ローラ１４と、分離ローラ対１６と、画像形成部１８と、定着部４０とを、備える。なお図１に示す例では、後述するように、搬送ベルトに沿って各色の作像部が配列されたいわゆるタンデムタイプと称される印刷装置を示しているが、これに限定されるものではない。
【００５７】
給紙トレイ１２には、複数の記録紙が重ね合わせて収容される。
【００５８】
給紙ローラ１４は、給紙トレイ１２の最上部に位置する記録紙Ｐ’に当接されており、当接している記録紙Ｐ’を給紙する。
【００５９】
分離ローラ対１６は、給紙ローラ１４により給紙された記録紙Ｐ’を画像形成部１８へ送る。なお、給紙ローラ１４により２枚以上の記録紙が給紙された場合には、分離ローラ対１６は、記録紙Ｐ’以外の記録紙を押し戻すことにより、記録紙Ｐ’と記録紙Ｐ’以外の記録紙とを分離し、記録紙Ｐ’のみを画像形成部１８へ送る。
【００６０】
画像形成部１８は、尺度を把握可能な形成対象面上で、画像（第１画像の一例）を作像して当該画像を分離ローラ対１６から送られた記録紙Ｐ’に形成し、印刷物Ｐを生成するものであり、作像部２０Ｂ、２０Ｍ、２０Ｃ、及び２０Ｙと、露光ヘッド３２Ｂ、３２Ｍ、３２Ｃ、及び３２Ｙと、搬送ベルト３４と、駆動ローラ３６と、従動ローラ３８とを、備える。
【００６１】
作像部２０Ｂ、２０Ｍ、２０Ｃ、及び２０Ｙは、分離ローラ対１６から送られた記録紙Ｐ’を搬送する搬送ベルト３４の搬送方向の上流側から作像部２０Ｂ、２０Ｍ、２０Ｃ、及び２０Ｙの順番で搬送ベルト３４に沿って配列されている。
【００６２】
作像部２０Ｂは、感光体ドラム２２Ｂ、並びに感光体ドラム２２Ｂの周囲に配置された帯電器２４Ｂ、現像器２６Ｂ、転写器２８Ｂ、感光体クリーナ（図示省略）、及び除電器３０Ｂを備える。作像部２０Ｂ及び露光ヘッド３２Ｂは、感光体ドラム２２Ｂ上で、作像プロセス（帯電工程、露光工程、現像工程、転写工程、クリーニング工程、及び除電工程）を行うことにより、感光体ドラム２２Ｂ上にブラックのトナー画像を形成する。
【００６３】
なお、作像部２０Ｍ、２０Ｃ、及び２０Ｙは、いずれも作像部２０Ｂと共通の構成要素を備えており、作像部２０Ｍは、作像プロセスを行うことによりマゼンタのトナー画像を形成し、作像部２０Ｃは、作像プロセスを行うことによりシアンのトナー画像を形成し、作像部２０Ｙは、作像プロセスを行うことによりイエローのトナー画像を形成する。このため、以下では、作像部２０Ｂの構成要素についての説明を主に行い、作像部２０Ｍ、２０Ｃ、及び２０Ｙの構成要素については、作像部２０Ｂの構成要素の符号に付したＢに替えてそれぞれＭ、Ｃ、Ｙを付すに留め、その説明を省略する。
【００６４】
感光体ドラム２２Ｂは、図示せぬ駆動モータにより回転駆動される。
【００６５】
まず、帯電工程では、帯電器２４Ｂは、回転駆動されている感光体ドラム２２Ｂの外周面を暗中にて一様に帯電する。
【００６６】
続いて、露光工程では、露光ヘッド３２Ｂは、回転駆動されている感光体ドラム２２Ｂの外周面をブラック画像に応じた照射光で露光し、感光体ドラム２２Ｂ上にブラック画像に基づく静電潜像を形成する。
【００６７】
続いて、現像工程では、現像器２６Ｂは、感光体ドラム２２Ｂ上に形成された静電潜像をブラックトナーで現像し、感光体ドラム２２Ｂ上にブラックのトナー画像を形成する。
【００６８】
続いて、転写工程では、転写器２８Ｂは、感光体ドラム２２Ｂと搬送ベルト３４により搬送される記録紙Ｐ’とが接する転写位置で、感光体ドラム２２Ｂ上に形成されたブラックのトナー画像を記録紙Ｐ’に転写する。なお、感光体ドラム２２Ｂ上には、トナー画像の転写後においても未転写トナーが僅かながら残存する。
【００６９】
続いて、クリーニング工程では、感光体クリーナは、感光体ドラム２２Ｂ上に残存している未転写トナーを払拭する。
【００７０】
最後に、除電工程では、除電器３０Ｂは、感光体ドラム２２Ｂ上の残留電位を除電する。そして、作像部２０Ｂは、次回の画像形成を待機する。
【００７１】
搬送ベルト３４は、駆動ローラ３６と従動ローラ３８とに巻回されたエンドレスのベルトであり、分離ローラ対１６から送られた記録紙Ｐ’が静電吸着作用により吸着される。搬送ベルト３４は、駆動ローラ３６が図示せぬ駆動モータにより回転駆動させられることにより無端移動し、吸着されている記録紙Ｐ’を作像部２０Ｂ、２０Ｍ、２０Ｃ、２０Ｙの順に搬送する。
【００７２】
そして、搬送ベルト３４により搬送される記録紙Ｐ’には、まず、作像部２０Ｂによりブラックのトナー画像が転写され、続いて、作像部２０Ｍによりマゼンタのトナー画像、作像部２０Ｃによりシアンのトナー画像、作像部２０Ｙによりイエローのトナー画像が重畳して転写される。これにより、記録紙Ｐ’上にフルカラーの画像が形成され、印刷物Ｐが生成される。
【００７３】
定着部４０は、搬送ベルト３４から剥離された印刷物Ｐを加熱及び加圧することにより、作像部２０Ｂ、２０Ｍ、２０Ｃ、及び２０Ｙにより形成されたフルカラーの画像を記録紙Ｐ’に定着させる。画像が定着された印刷物Ｐは、画像形成装置１０の外部に排紙される。
【００７４】
なお、図５に示す例では、画像形成装置１０’が１次転写方式を採用している場合について説明したが、これに限定されず、中間転写ベルトなどを用いた２次転写方式を採用してもよい。
【００７５】
前述した形成対象面は、画像の作像又は記録紙への画像が形成される面であればどのような面であってもよい。第２実施形態では、形成対象面が感光体ドラム２２Ｂである場合を例に取り説明するが、これに限定されず、感光体ドラム２２Ｍ、２２Ｃ、２２Ｙ、搬送ベルト３４、駆動ローラ３６、従動ローラ３８、及び定着部４０などであってもよい。
【００７６】
図６は、第２実施形態の形成対象面である感光体ドラム２２Ｂの一例の説明図である。図６に示す例では、前述したように、感光体ドラム２２Ｂ上で作像プロセスが行われることで、感光体ドラム２２Ｂ上にブラックのトナー画像が形成されるとともに、記録紙Ｐ’が矢印方向に搬送され、感光体ドラム２２Ｂ上に形成されたブラックのトナー画像が記録紙Ｐ’に転写される。
【００７７】
なお、感光体ドラム２２Ｂの周囲に部材４２Ｂ（第２部材の一例）が配されており、部材４２Ｂに感光体ドラム２２Ｂに対する尺度である目盛り群４４Ｂが付されている。このため本実施形態では、感光体ドラム２２Ｂの尺度を把握可能である。
【００７８】
部材４２Ｂは、本実施形態では、現像器２６Ｂを保持する保持部材であるが、これに限定されず、感光体ドラム２２Ｂ（形成対象面）の周囲に配された部材であればどのような部材であってもよく、画像形成装置１０’の筐体の一部であってもよいし、他の部材であってもよい。また、目盛り群４４Ｂの各目盛りは、感光体ドラム２２Ｂの中心軸を基準にふられているものとする。
【００７９】
また、図６に示す例では、画像形成部１８により画像の作像が行われる感光体ドラム２２Ｂ上の領域である形成領域は、感光体ドラム２２Ｂ内の始点（始線）５２及び終点（終線）５１で挟まれた領域であるとする。なお形成領域の大きさは、変更可能としてもよい。例えば、搬送される記録紙Ｐ’のサイズ（原稿サイズ）に伴い、形成領域の大きさが変動するようにしてもよい。
【００８０】
ここで、図２及び図６に示すように、第２実施形態では、読取対象面１７０に対する尺度である目盛り群１７３と、感光体ドラム２２Ｂに対する尺度である目盛り群４４Ｂは、同一である。
【００８１】
また第２実施形態では、感光体ドラム２２Ｂ上での画像の中心軸、感光体ドラム２２Ｂ上での記録紙Ｐ’の中心軸、感光体ドラム２２Ｂ上の中心軸、読取対象面１７０上を通過する印刷物Ｐの中心軸、及び読取対象面１７０の中心軸が一致するものとする。各中心軸は、画像、記録紙Ｐ’又は印刷物Ｐの進行方向での中心軸である。
【００８２】
つまり、第２実施形態では、画像、記録紙Ｐ’又は印刷物Ｐの進行方向に対して、感光体ドラム２２Ｂと読取対象面１７０との位置（詳細には、中心軸の位置）が一致するとともに、画像、記録紙Ｐ’及び印刷物Ｐの位置（詳細には、中心軸の位置）も一致する。
【００８３】
従って、第２実施形態によれば、表示部１６０に表示させる合成画像は、読取対象面１７０に対する目盛り群１７３の位置だけでなく、感光体ドラム２２Ｂに対する目盛り群４４Ｂの位置もユーザに把握させるものとなる。
【００８４】
このため第２実施形態によれば、読取対象面に付着した汚れの正確な位置だけでなく形成対象面に付着した汚れの正確な位置もユーザに把握させることができるので、汚れ除去に伴うユーザ負担を軽減できる。
【００８５】
（第３実施形態）
第３実施形態では、画像形成装置１０’の形成対象面のみに尺度が付されている例について説明する。以下では、第２実施形態との相違点の説明を主に行い、第２実施形態と同様の機能を有する構成要素については、第２実施形態と同様の名称・符号を付し、その説明を省略する。
【００８６】
図７は、第３実施形態の画像形成システム２０１の構成の一例を示すブロック図である。図７に示すように、画像形成システム２０１は、画像形成装置１０’と、画像読取装置３００と、情報処理装置４００とを、備える。第３実施形態では、画像読取装置３００は、画像の読み取りのみを行い、尺度の換算や画像合成は、情報処理装置４００が行う。情報処理装置４００は、コンピュータなどにより実現できる。
【００８７】
情報処理装置４００は、操作部４１０と、制御部４３０と、画像処理部４５０と、表示部４６０とを、備える。
【００８８】
操作部４１０は、各種操作の入力を行うものであり、タッチパネルやキースイッチなどの入力装置により実現できる。
【００８９】
制御部４３０は、情報処理装置４００の各部を制御するものであり、ＣＰＵなどの制御装置により実現できる。制御部４３０は、設定部４３１と、取得部４３３と、換算部４３５と、表示制御部４３７とを、含む。
【００９０】
設定部４３１は、解像度を設定する。具体的には、設定部４３１は、操作部４１０からの操作入力に基づいて、画像読取装置３００の解像度（読取解像度）を設定する。
【００９１】
ここで、画像読取装置３００について説明する。画像読取装置３００は、画像読取部３４０を備える。
【００９２】
画像読取部３４０は、画像形成装置１０’により生成された印刷物を電気的に読み取って画像（第２画像の一例）を生成するものであり、ＣＣＤセンサやＣＭＯＳセンサなどの画像センサにより実現できる。具体的には、画像読取部３４０は、画像形成装置１０’により生成された印刷物を設定部４３１により設定された解像度で読み取って、画像を生成する。
【００９３】
取得部４３３は、目盛り群４４Ｂの目盛り間隔を示す間隔情報を取得する。また取得部４３３は、目盛り群４４Ｂの目盛り数を示す目盛り数情報を更に取得する。また取得部４３３は、形成対象面である感光体ドラム２２Ｂ上の形成領域の始点５２を指す第１目盛りを識別する第１識別情報、及び当該形成領域の終点５１を指す第２目盛りを識別する第２識別情報を更に取得する。
【００９４】
本実施形態では、間隔情報、目盛り数情報、第１識別情報、及び第２識別情報は、画像形成装置１０’に記憶されており、取得部４３３は、画像形成装置１０’から、間隔情報、目盛り数情報、第１識別情報、及び第２識別情報を取得するものとするが、これに限定されるものではない。
【００９５】
なお、読取領域の大きさが変更可能な場合には、読取領域の大きさ毎に、第１識別情報及び第２識別情報の組を用意しておき、該当する読取領域の大きさでの第１識別情報及び第２識別情報の組を取得するようにすればよい。
【００９６】
換算部４３５は、設定部４３１により設定された解像度に基づいて、形成対象面である感光体ドラム２２Ｂに対する尺度を、画像読取部３４０により生成される印刷物Ｐの画像上での尺度に換算する。具体的には、換算部４３５は、設定部４３１により設定された解像度と取得部４３３により取得された間隔情報とに基づいて、形成対象面である感光体ドラム２２Ｂに対する目盛り群４４Ｂを、画像読取部３４０により生成される印刷物Ｐの画像上での目盛り群に換算する。
【００９７】
例えば、換算部４３５は、設定部４３１により設定された解像度と取得部４３３により取得された間隔情報とを用いて、印刷物Ｐの画像上で、目盛り群４４Ｂの目盛り間隔を表現するために必要な画素数を算出し、当該画素数を用いて、形成対象面である感光体ドラム２２Ｂに対する目盛り群４４Ｂを、画像読取部３４０により生成される印刷物Ｐの画像上での目盛り群に換算する。
【００９８】
より詳細には、換算部４３５は、取得部４３３により取得された目盛り数情報を更に用いて、形成対象面である感光体ドラム２２Ｂに対する目盛り群４４Ｂを、画像読取部３４０により生成される印刷物Ｐの画像上での目盛り群に換算する。
【００９９】
更に詳細には、換算部４３５は、取得部４３３により取得された第１識別情報及び第２識別情報を更に用いて、形成対象面である感光体ドラム２２Ｂに対する目盛り群４４Ｂを、画像読取部３４０により生成される印刷物Ｐの画像上での目盛り群に換算する。
【０１００】
例えば、目盛り間隔を表現するために必要な画素数が８画素であり、目盛り数情報が３１を示し、第１識別情報が６番目の目盛りを示し、第２識別情報が２６番目の目盛りを示すとする。この場合、換算部４３５は、３１個の目盛りを８画素間隔で並べ、６番目の目盛りを第１目盛り、２６番目の目盛りを第２目盛りとすることで、形成対象面である感光体ドラム２２Ｂに対する目盛り群４４Ｂを、画像読取部３４０により生成される印刷物Ｐの画像上での目盛り群に換算する。
【０１０１】
なお、表示制御部４３７については、後述する。
【０１０２】
画像処理部４５０は、画像読取部３４０により生成された印刷物Ｐの画像に画像処理を施すものであり、例えば、ＡＳＩＣなどにより実現できる。画像処理部４５０は、画像生成部４５１と、画像合成部４５３とを、含む。
【０１０３】
画像生成部４５１は、換算部４３５により換算された尺度の画像を生成する。例えば、換算部４３５により、３１個の目盛りを８画素間隔で並べ、６番目の目盛りを第１目盛り、２６番目の目盛りを第２目盛りとすることで、形成対象面である感光体ドラム２２Ｂに対する目盛り群４４Ｂを、画像読取部３４０により生成される印刷物Ｐの画像上での目盛り群に換算された場合、画像生成部４５１は、３１個の目盛りを８画素間隔で並べ、６番目の目盛りを第１目盛り、２６番目の目盛りを第２目盛りとする画像を生成する。
【０１０４】
画像合成部４５３は、画像読取部３４０により生成された印刷物Ｐの画像と画像生成部４５１により生成された換算部４３５により換算された尺度の画像とを合成する。
【０１０５】
具体的には、画像合成部４５３は、画像読取部３４０により生成された印刷物Ｐの画像から、印刷物Ｐの両端部を検出する。画像合成部４５３は、例えば、印刷物Ｐの明るさと画像読取部３４０の背景の明るさとの差から、印刷物Ｐの両端部を検出する。そして画像合成部４５３は、画像生成部４５１により生成された画像の第１目盛り及び第２目盛りが、検出した印刷物Ｐの両端部に対応するように、画像読取部３４０により生成された印刷物Ｐの画像と画像生成部４５１により生成された画像とを合成する。
【０１０６】
ここで、表示制御部４３７について説明する。表示制御部４３７は、画像合成部４５３により合成された画像を表示部４６０に表示させる。表示部４６０は、各種画像を表示するものであり、液晶ディスプレイ及びタッチパネル式ディスプレイなどの表示装置により実現できる。
【０１０７】
なお、表示制御部４３７は、画像合成部４５３により合成された画像を変倍して表示部４６０に表示させてもよい。具体的には、表示制御部４３７は、操作部４１０からの操作入力に基づいて、画像合成部４５３により合成された画像を変倍して表示部４６０に表示させてもよい。
【０１０８】
以上のように第３実施形態では、形成対象面に対する尺度を、印刷物を読み取った画像上での尺度に換算し、当該画像に合成して表示する。従って第１実施形態によれば、ユーザは、表示された画像上で、異常位置と尺度位置との対応を確認すれば、形成対象面に対する尺度での当該尺度位置に対応する形成対象面上の位置に汚れが付着していることを把握できる。このように、第３実施形態によれば、形成対象面に付着した汚れの正確な位置をユーザに把握させることができるので、汚れ除去に伴うユーザ負担を軽減できる。
【０１０９】
（ハードウェア構成）
図８は、上記第３実施形態の情報処理装置４００のハードウェア構成の一例を示す図である。上記第３実施形態の情報処理装置４００は、ＣＰＵなどの制御装置８０１と、ＲＯＭやＲＡＭなどの記憶装置８０２と、ＨＤＤなどの外部記憶装置８０３と、ディスプレイなどの表示装置８０４と、キーボードやマウスなどの入力装置８０５と、通信Ｉ／Ｆ（インタフェース）８０６と、を備えており、通常のコンピュータを利用したハードウェア構成となっている。
【０１１０】
上記第３実施形態の情報処理装置４００で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１１１】
また、上記第３実施形態の情報処理装置４００で実行されるプログラムを、インターネット等のネットワークに接続されたコンピュータ上に格納し、ネットワーク経由でダウンロードさせることにより提供するようにしてもよい。また、上記第３実施形態の情報処理装置４００で実行されるプログラムを、インターネット等のネットワーク経由で提供または配布するようにしてもよい。また、上記第３実施形態の情報処理装置４００で実行されるプログラムを、ＲＯＭ等に予め組み込んで提供するようにしてもよい。
【０１１２】
上記第３実施形態の情報処理装置４００で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【０１１３】
図９は、上記各実施形態の画像形成装置及び画像読取装置のハードウェア構成の一例を示すブロック図である。図９に示すように、上記各実施形態の画像形成装置及び画像読取装置は、コントローラ９１０とエンジン部（Engine）９６０とをＰＣＩ（Peripheral  Component  Interconnect）バスで接続した構成となる。コントローラ９１０は、画像形成装置９００全体の制御、描画、通信、及び操作表示部９２０からの入力を制御するコントローラである。エンジン部９６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部９６０には、プロッタなどのいわゆるエンジン部分に加えて、誤差拡散やガンマ変換などの画像処理部分が含まれる。
【０１１４】
コントローラ９１０は、ＣＰＵ９１１と、ノースブリッジ（ＮＢ）９１３と、システムメモリ（ＭＥＭ−Ｐ）９１２と、サウスブリッジ（ＳＢ）９１４と、ローカルメモリ（ＭＥＭ−Ｃ）９１７と、ＡＳＩＣ（Application  Specific  Integrated  Circuit）９１６と、ハードディスクドライブ（ＨＤＤ）９１８とを有し、ノースブリッジ（ＮＢ）９１３とＡＳＩＣ９１６との間をＡＧＰ（Accelerated  Graphics  Port）バス９１５で接続した構成となる。また、ＭＥＭ−Ｐ９１２は、ＲＯＭ９１２ａと、ＲＡＭ９１２ｂとをさらに有する。
【０１１５】
ＣＰＵ９１１は、上記各実施形態の画像形成装置及び画像読取装置の全体制御をおこなうものであり、ＮＢ９１３、ＭＥＭ−Ｐ９１２およびＳＢ９１４からなるチップセットを有し、このチップセットを介して他の機器と接続される。
【０１１６】
ＮＢ９１３は、ＣＰＵ９１１とＭＥＭ−Ｐ９１２、ＳＢ９１４、ＡＧＰバス９１５とを接続するためのブリッジであり、ＭＥＭ−Ｐ９１２に対する読み書きなどを制御するメモリコントローラと、ＰＣＩマスタおよびＡＧＰターゲットとを有する。
【０１１７】
ＭＥＭ−Ｐ９１２は、プログラムやデータの格納用メモリ、プログラムやデータの展開用メモリ、プリンタの描画用メモリなどとして用いるシステムメモリであり、ＲＯＭ９１２ａとＲＡＭ９１２ｂとからなる。ＲＯＭ９１２ａは、プログラムやデータの格納用メモリとして用いる読み出し専用のメモリであり、ＲＡＭ９１２ｂは、プログラムやデータの展開用メモリ、プリンタの描画用メモリなどとして用いる書き込みおよび読み出し可能なメモリである。
【０１１８】
ＳＢ９１４は、ＮＢ９１３とＰＣＩデバイス、周辺デバイスとを接続するためのブリッジである。このＳＢ９１４は、ＰＣＩバスを介してＮＢ９１３と接続されており、このＰＣＩバスには、ネットワークインタフェース（Ｉ／Ｆ）部なども接続される。
【０１１９】
ＡＳＩＣ９１６は、画像処理用のハードウェア要素を有する画像処理用途向けのＩＣ（Integrated  Circuit）であり、ＡＧＰバス９１５、ＰＣＩバス、ＨＤＤ９１８およびＭＥＭ−Ｃ９１７をそれぞれ接続するブリッジの役割を有する。このＡＳＩＣ９１６は、ＰＣＩターゲットおよびＡＧＰマスタと、ＡＳＩＣ９１６の中核をなすアービタ（ＡＲＢ）と、ＭＥＭ−Ｃ９１７を制御するメモリコントローラと、ハードウェアロジックなどにより画像データの回転などをおこなう複数のＤＭＡＣ（Direct  Memory  Access  Controller）と、エンジン部９６０との間でＰＣＩバスを介したデータ転送をおこなうＰＣＩユニットとからなる。このＡＳＩＣ９１６には、ＰＣＩバスを介してＦＣＵ（Fax  Control  Unit）９３０、ＵＳＢ（Universal  Serial  Bus）９４０、ＩＥＥＥ１３９４（the  Institute  of  Electrical  and  Electronics  Engineers  1394）インタフェース９５０が接続される。操作表示部９２０はＡＳＩＣ９１６に直接接続されている。
【０１２０】
ＭＥＭ−Ｃ９１７は、コピー用画像バッファ、符号バッファとして用いるローカルメモリであり、ＨＤＤ９１８は、画像データの蓄積、プログラムの蓄積、フォントデータの蓄積、フォームの蓄積を行うためのストレージである。
【０１２１】
ＡＧＰバス９１５は、グラフィック処理を高速化するために提案されたグラフィックスアクセラレーターカード用のバスインターフェースであり、ＭＥＭ−Ｐ９１２に高スループットで直接アクセスすることにより、グラフィックスアクセラレーターカードを高速にするものである。
【０１２２】
上記各実施形態の画像形成装置及び画像読取装置で実行されるプログラムは、インストール可能な形式又は実行可能な形式のファイルでＣＤ−ＲＯＭ、ＣＤ−Ｒ、メモリカード、ＤＶＤ、フレキシブルディスク等のコンピュータで読み取り可能な記憶媒体に記憶されて提供される。
【０１２３】
また、上記各実施形態の画像形成装置及び画像読取装置で実行されるプログラムを、インターネット等のネットワークに接続されたコンピュータ上に格納し、ネットワーク経由でダウンロードさせることにより提供するようにしてもよい。また、上記各実施形態の画像形成装置及び画像読取装置で実行されるプログラムを、インターネット等のネットワーク経由で提供または配布するようにしてもよい。また、上記各実施形態の画像形成装置及び画像読取装置で実行されるプログラムを、ＲＯＭ等に予め組み込んで提供するようにしてもよい。
【０１２４】
上記各実施形態の画像形成装置及び画像読取装置で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【０１２５】
１、２０１  画像形成システム
１０、１０’  画像形成装置
１２  給紙トレイ
１４  給紙ローラ
１６  分離ローラ対
１８  画像形成部
２０Ｂ、２０Ｍ、２０Ｃ、２０Ｙ  作像部
２２Ｂ、２２Ｍ、２２Ｃ、２２Ｙ  感光体ドラム
２４Ｂ、２４Ｍ、２４Ｃ、２４Ｙ  帯電器
２６Ｂ、２６Ｍ、２６Ｃ、２６Ｙ  現像器
２８Ｂ、２８Ｍ、２８Ｃ、２８Ｙ  転写器
３０Ｂ、３０Ｍ、３０Ｃ、３０Ｙ  除電器
３２Ｂ、３２Ｍ、３２Ｃ、３２Ｙ  露光ヘッド
３４  搬送ベルト
３６  駆動ローラ
３８  従動ローラ
４０  定着部
４２Ｂ  部材
４４Ｂ  目盛り群
１００、３００  画像読取装置
１１０、４１０  操作部
１２０、４２０  記憶部
１３０、４３０  制御部
１３１、４３１  設定部
１３３、４３３  取得部
１３５、４３５  換算部
１３７、４３７  表示制御部
１４０、３４０  画像読取部
１５０、４５０  画像処理部
１５１、４５１  画像生成部
１５３、４５３  画像合成部
１６０、４６０  表示部
１７０  読取対象面
１７１  部材
１７３  目盛り群
４００  情報処理装置
【先行技術文献】
【特許文献】
【０１２６】
【特許文献１】特開２０１２−４４５６５号公報
【図１】
2015179904.tif 000003
【図２】
2015179904.tif 000004
【図３】
2015179904.tif 000005
【図４】
2015179904.tif 000006
【図５】
2015179904.tif 000007
【図６】
2015179904.tif 000008
【図７】
2015179904.tif 000009
【図８】
2015179904.tif 000010
【図９】
2015179904.tif 000011